(57)【要約】      （修正有）【課題】ペット用吸収シートの一部分をカットしても吸収材がこぼれず、カットした一部分を使用することができる利便性の高いペット用吸収シートを提供する。【解決手段】透液性の表面材２１と、不透液性の裏面材と、吸収材と、を備え、表面材２１と裏面材との間に吸収材を包んで構成される吸収部３と、吸収材を包む表面材２１と裏面材とが延出して該吸収部を囲うように設けられた延長部２と、を備え、複数の吸収部３が、延長部２の端部を互いに接続して配列されていることを特徴とするペット用吸収シート。【選択図】図１
2020010649.tif 000002
【特許請求の範囲】
【請求項１】
透液性の表面材と、
不透液性の裏面材と、
吸収材と、を備えるペット用吸収シートであって、
前記表面材と前記裏面材との間に前記吸収材を包んで構成される吸収部と、
前記吸収材を包む前記表面材と前記裏面材とが延出して該吸収部を囲うように設けられた延長部と、を備え、
複数の前記吸収部が、前記延長部の端部を互いに接続して配列されている
ことを特徴とするペット用吸収シート。
【請求項２】
請求項１に記載のペット用吸収シートであって、
前記複数の吸収部を二次元方向に配列することで構成されている
ことを特徴とするペット用吸収シート。
【請求項３】
請求項１または２に記載のペット用吸収シートであって、
前記延長部は、前記吸収部から外側に向かって上方に延びる傾斜面を有する
ことを特徴とするペット用吸収シート。
【請求項４】
請求項１〜３のいずれか一項に記載のペット用吸収シートであって、
接続した前記延長部の端部どうしが、上方に向かって凸部を形成している
ことを特徴とするペット用吸収シート。
【請求項５】
請求項１〜４のいずれか一項に記載のペット用吸収シートであって、
接続した前記延長部の端部どうしの外側の端に切欠きが形成されている
ことを特徴とするペット用吸収シート。
【請求項６】
請求項４に記載のペット用吸収シートであって、
前記凸部に、切断箇所の目安となるマークが表示されている
ことを特徴とするペット用吸収シート。
【請求項７】
請求項１〜６のいずれか一項に記載のペット用吸収シートであって、
前記吸収部は、前記延長部を切断することにより、別のペット用吸収シートとして使用できる
ことを特徴とするペット用吸収シート。
【発明の詳細な説明】
【技術分野】
【０００１】
本発明は、ペット用吸収シートに関する。
【背景技術】
【０００２】
ペット用の吸収シートは、ペットの排泄によって汚れた場合に交換されるが、ほんの一部分の汚れであっても、シート全体を交換しなければならず無駄となる部分が多い。
【０００３】
特許文献１には、１枚のシートからなるペット用吸収シートが記載されている。
【先行技術文献】
【特許文献】
【０００４】
【特許文献１】特開２００８−４３２４３号公報
【発明の概要】
【発明が解決しようとする課題】
【０００５】
猫などのペットは、排泄する場所に癖を持っており、ペット用吸収シートの特定箇所のみが排泄物で汚れることが多い。しかし、特許文献１のように、１枚のシートからなるペット用吸収シートでは、一部分が汚れてしまうと、シート全部を交換しなければならない。
【０００６】
また、ペット用の吸収シートは、排泄物の吸収材に顆粒状のポリマー等が用いられているため、シートの汚れた部分のみをカットして廃棄しようとすると、ポリマー等がこぼれ、掃除が煩雑となったりペットが誤飲したりする恐れがある。
【０００７】
本発明の目的は、ペット用吸収シートの一部分をカットしても吸収材がこぼれず、カットした一部分を使用することができる利便性の高いペット用吸収シートを提供することにある。
【課題を解決するための手段】
【０００８】
本発明は、上記課題の少なくとも１つを解決するものであるが、その例を挙げるならば、次の通りである。すなわち、本発明の一態様であるペット用吸収シートは、透液性の表面材と、不透液性の裏面材と、吸収材と、を備え、表面材と裏面材との間に吸収材を包んで構成される吸収部と、吸収材を包む表面材と裏面材とが延出して該吸収部を囲うように設けられた延長部と、を備え、複数の吸収部が、延長部の端部を互いに接続して配列されていてもよい。
【０００９】
複数の吸収部を二次元方向に配列することで構成されているものであってもよい。
【００１０】
延長部は、吸収部から外側に向かって上方に延びる傾斜面を有していてもよい。
【００１１】
接続した延長部の端部どうしが、上方に向かって凸部を形成していてもよい。
【００１２】
接続した延長部の端部どうしの外側の端に切欠きが形成されていてもよい。
【００１３】
凸部に、切断箇所の目安となるマークが表示されていてもよい。
【００１４】
吸収部は、延長部を切断することにより、別のペット用吸収シートとして使用できるものであってもよい。
【発明の効果】
【００１５】
本発明によれば、ペット用吸収シートの一部分をカットしても吸収材がこぼれず、カットした一部分を使用することができる利便性の高いペット用吸収シートを提供することができる。
【図面の簡単な説明】
【００１６】
【図１】本実施形態に係るペット用吸収シートの概略構成例を示す平面図である。
【図２】本実施形態に係るペット用吸収シートの概略構成例を示す断面図である。
【図３】本実施形態に係るペット用吸収シートの構造を模式的に説明する図である。
【図４】本実施形態に係るペット用吸収シートの使用方法の一例を示す図である。
【図５】本実施形態に係るペット用吸収シートの使用方法の一例を示す断面図である。
【図６】本実施形態に係るペット用吸収シートの使用方法の他の例を示す図である。
【図７】本実施形態に係るペット用吸収シートの変形例を示す平面図である。
【発明を実施するための形態】
【００１７】
本発明の実施形態の例について、以下、図に基づいて説明する。
【００１８】
図１は、本実施形態に係るペット用吸収シートの概略構成例を示す平面図である。ペット用吸収シート１は、二次元方向に配列されて接続された複数の部分シート１ａから構成される。図１の例では、部分シート１ａが、図１の紙面縦方向に３つ、紙面横方向に２つ、合計６つ連続して配置されている。
【００１９】
部分シート１ａは、延長部２と、吸収部３とを有する。延長部２は、吸収部３の周囲を囲うように配置されている。部分シート１ａは、その延長部２の端部が他の部分シート１ａの延長部２の端部と接続することにより、他の部分シート１ａと繋がっている。
【００２０】
延長部２は、透液性の表面材２１と、不透液性の裏面材２２とから構成される。裏面材２２は使用時に床面やトイレトレーと接し、ペット用吸収シート１の最下面となる。一方、表面材２１は、使用時にペットが乗る面であり、ペット用吸収シート１の最上面となる。
【００２１】
透液性の表面材２１は、液保持性がないか極めて低いもので、液を素早く通過させやすい材料であれば、特に限定されない。表面材２１は、例えば、不織布や樹脂性の多孔性フィルムシート等から形成される。
【００２２】
不透液性の裏面材２２は、液を透過しないか透過しにくい材料であれば、特に限定されない。裏面材２２は、例えば、ポリエチレンシート、合成樹脂性の液不透過性フィルムや撥水性の不織布等から形成される。
【００２３】
延長部２は、表面材２１と裏面材２２をヒートシール、接着剤、または圧着等により接着することにより形成される。
【００２４】
吸収部３は、吸収材３１を表面材２１と裏面材２２の間に包んで構成される。吸収材３１は、液を吸収保持する材料であれば、特に限定されない。吸収材３１は、例えば、粉砕パルプ、高分子吸収ポリマー及び吸収紙から構成される。
【００２５】
吸収材３１は、表面材２１と裏面材２２との間に封入され、表面材２１と裏面材２２の間から漏れ出さないようになっている。
【００２６】
ここで、延長部２は、吸収部３を構成している表面材２１と裏面材２２を外方向に延出した表面材２１と裏面材２２を接着して構成されている。つまり、延長部２の表面材２１及び裏面材２２と、吸収部３の表面材２１及び裏面材２２は、互いに連続している。
【００２７】
このように、ペット用吸収シート１は、１枚の表面材シートと１枚の裏面材シートを重ね、各部分シート１ａの延長部２に相当する部分を接着することで構成されている。各部分シート１ａの吸収材３１は、延長部２を形成した後に吸収部３内に注入してもよいし、延長部２を形成する前に配置してもよい。
【００２８】
図２は、本実施形態に係るペット用吸収シートの概略構成例を示す断面図（図１のＡ−Ａ断面）である。図３は、本実施形態に係るペット用吸収シートの構造を模式的に説明する図である。
【００２９】
図２に示すように、２枚の部分シート１ａ（図の左側の部分シート１ａを第１の部分シート１０、右側を第２の部分シート１１とする）が繋がっている。図の左側から順に、第１の部分シート１０の左の延長部２、第１の部分シート１０の吸収部３、第１の部分シート１０の右の延長部２、第２の部分シート１１の左の延長部２、第２の部分シート１１の吸収部３、第２の部分シート１１の右の延長部２のように連続して配置されている。
【００３０】
図３に示すように、吸収材３１は、表面材２１と裏面材２２の間に配置される。吸収材３１は、外側に延出する延長部２の表面材２１と裏面材２２が接着されることにより包まれ、こぼれないように形成されている。
【００３１】
延長部２は、その基部４から端部にかけて裏面材側から表面材側に向かって上る傾斜面を構成している。図の例では、延長部２は若干湾曲しているが、平面であってもよい。基部４は、吸収部３と延長部２の境となる部分であり、最下部に位置している。延長部２の端部は、吸収部３の最上面（すなわち表面材２１）の延長線上に位置している。もちろん、延長部２の端部の位置は、吸収部３の最上面の延長線よりも高くてもよいし低くてもよい。
【００３２】
延長部２の傾斜は、延長部２の基部４をプレス等による圧をかけて曲げることにより加工して形成することができる。なお、基部４から傾斜面を開始するのではなく、基部４から一定間隔を空けた位置から傾斜面を開始してもよい。
【００３３】
このように、延長部２側の表面材２１と吸収部３側の表面材２１とは、断面視において溝を形成している。また、第１の部分シート１０の右の延長部２の端部と第２の部分シート１１の左の延長部２の端部は接続されているので、これらは断面視において凸部５を形成している。吸収部３を取り囲む延長部２は、上方から下方に向かって内側に窄まるテーパ状に形成されているとも言える。
【００３４】
なお、図１に示すように、２つの部分シート１ａの接続部分の外側、すなわち接続された延長部２の境界の外側には、切欠き６が設けられている。具体的には、切欠き６は、ペット用吸収シート１の外周を形作る各部分シート１ａの延長部２の凸部５の頂部の端に設けられる。
【００３５】
図４は、本実施形態に係るペット用吸収シートの使用方法の一例を示す図である。図５は、図４のＢ−Ｂ断面図である。
【００３６】
図４（ａ）に示すように、ペット用吸収シート１を２枚用意する。一方のペット用吸収シート１は、トイレトレー等のペットが排泄する場所に敷いておく。他方のペット用吸収シート１は、ある切欠き６から手やハサミ等の道具により凸部５の頂部に沿って切断し、部分シート１ａを一つ作る。
【００３７】
図４（ｂ）に示すように、トイレトレー等に敷いたペット用吸収シート１上で、ペットがよく排泄する箇所に部分シート１ａを重ねて設置する。ペットの排泄により部分シート１ａが汚れたら、当該部分シート１ａのみ廃棄する。そして、また別の部分シート１ａを用意して設置する。
【００３８】
本実施形態のペット用吸収シート１によれば、ペット用吸収シート１の一部分である延長部２をカットしても吸収材３１がこぼれず、カットした一部分を使用することができる利便性の高いペット用吸収シートを提供することができる。すなわち、部分シート１ａのみを交換する使い方ができるので、ペット用吸収シート１の一部が汚れた場合に全部を交換しなくても済み、廃棄するごみの量を減らすことができる。また、１枚のペット用吸収シート１を複数の部分シート１ａに分割して用意しておけば、ペット用吸収シート１の特定の箇所に重ねるだけなので取り扱いが簡便となる。さらに、吸収材３１が包まれている吸収部３を切ることなく、小分けにすることが可能で、顆粒状の吸収材３１がこぼれて掃除が必要となったり、ペットが吸収材３１を誤飲したりする恐れがない。また、部分シート１ａの延長部２が傾斜面を形成している為、排泄物が吸収部３に流れ込みやすく、部分シート１ａあるいはペット用吸収シート１の外に漏れてしまうのを防ぐことができる。また、凸部５や切欠き６は、ユーザが延長部２をカットする際の目印となり直感的に分かり易い。
【００３９】
図６は、本実施形態に係るペット用吸収シートの使用方法の他の例を示す図である。
【００４０】
図６（ａ）に示すように、ペットトイレ等に敷いたペット用吸収シート１の一部分が汚れた場合に、汚れた部分を含む部分シート１ｂを切断する。他のペット用吸収シート１を切断して部分シート１ａを作る。
【００４１】
図６（ｂ）に示すように、汚れた部分を含む部分シート１ｂを除いた部分に、部分シート１ａを配置する。
【００４２】
部分シート１ｂを切断して出来たスペースに部分シート１ａを配置すると、部分シート１ａの延長部２は、隣の部分シート１ａの延長部２と隣接して凸部５を形成する。従って、排泄物が吸収部３に流れ込みやすく、部分シート１ａあるいはペット用吸収シート１の外に漏れてしまうのを防ぐことができる。
【００４３】
なお、使用方法は、図４〜図６に示すように、ペット用吸収シート１（又は１枚の部分シート１ａが切り取られたペット用吸収シート１）と１枚の部分シート１ａとを組み合わせる方法に限られない。例えば、複数枚の繋がったままの部分シート１ａをペット用吸収シート１に重ねてもよいし、ペット用吸収シート１から複数枚の部分シート１ａを切除してもよいし、切除した部分を複数枚の繋がったままの部分シート１ａに交換してもよい。また例えば、１枚の部分シート１ａ又は複数枚の繋がったままの部分シート１ａをペットトイレ等に敷くなどして使ってもよい。
【００４４】
図７は、本実施形態に係るペット用吸収シートの変形例を示す平面図である。
【００４５】
図７に示すように、ペット用吸収シート１の凸部５の頂部に沿って、切断部分の目安となるようにマーク７を表示してもよい。破線等によりマーク７を表示することで、切断箇所が明確となり、部分シート１ａを作りやすくなる。マーク７は、例えば、印刷により表示できる。
【００４６】
なお、本実施形態において、延長部２は、表面材２１と裏面材２２から構成されたが、表面材２１と裏面材２２の間に、吸収材３１の一部である吸収材３１から延出する吸収紙をさらに含んでいてもよい。延長部２にも吸収紙を備えることで、排泄物が効率よく吸収部３に流れて吸収保持され、ペット用吸収シート１からの漏れをより効果的に防ぐことができる。
【００４７】
また、延長部２は、基部４から又は基部４から一定間隔を空けた位置から上る第１の傾斜面と、当該第１の傾斜面の端部から下がる第２の傾斜面とで構成されていてもよい。すなわち、延長部２は、山型に折れ曲がった形状をしていてもよい。この場合、部分シート１ａの延長部２と他の部分シート１ａの延長部２の接続部分には、凸部５が２つ形成されることになる。
【００４８】
延長部２の端部が山型の形状をしていることで、ペット用吸収シート１に部分シート１ａを重ねた際に（図４の使用方法）、上側の部分シート１ａの延長部２と下側の部分シート１ａの延長部２との間の隙間への開口を狭くすることができる。これにより、排泄物の隙間への流入を低減することができる。
【００４９】
また、部分シート１ｂを切断して出来たスペースに部分シート１ａを配置する際に（図６の使用方法）、当該部分シート１ａの延長部２の凸部５を、隣の部分シート１ａの延長部２の凸部５に重ねることもできる。このようにすれば、部分シート１ａが隣の部分シート１ａに引っ掛かって固定され、ずれにくくなる。
【００５０】
なお、延長部２には、凸部５が２つ以上形成されていてもよい。このようにすれば、部分シート１ａを隣の部分シート１ａによりしっかり固定することができる。
【００５１】
以上、本発明の実施形態及びその変形例を説明したが、上記に記載した実施形態及びその変形例は特許請求の範囲に係る発明を限定するものではない。各実施形態及びその変形例は、それぞれの特徴を組み合わせることができる。上記のいずれかのペット用吸収シートが、他のペット用吸収シートの特徴を併せ持つものであってもよい。また、実施形態及びその変形例の中で説明した特徴の組み合わせの全てが発明の課題を解決するための手段に必須であるとは限らない点に留意すべきである。例えば、延長部２は傾斜面を備えてなくてもよいし、切欠き６を備えていなくてもよい。
【符号の説明】
【００５２】
１：ペット用吸収シート
１ａ，１ｂ：部分シート
２：延長部
３：吸収部
４：基部
５：凸部
６：切欠き
７：マーク
１０，１１：部分シート
２１：表面材
２２：裏面材
３１：吸収材
【図１】
2020010649.tif 000003
【図２】
2020010649.tif 000004
【図３】
2020010649.tif 000005
【図４】
2020010649.tif 000006
【図５】
2020010649.tif 000007
【図６】
2020010649.tif 000008
【図７】
2020010649.tif 000009
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
透液性の表面材と、
不透液性の裏面材と、
吸収材と、を備えるペット用吸収シートであって、
前記表面材と前記裏面材との間に前記吸収材を包んで構成される吸収部と、
前記吸収材を包む前記表面材と前記裏面材とが延出して該吸収部を囲うように設けられた延長部と、を備え、
複数の前記吸収部が、前記延長部の端部を互いに接続して配列されており、
前記延長部は、前記吸収部から外側に向かって上方に延びる第１の傾斜面を有し、
接続した前記延長部の端部どうしが、上方に向かって凸部を形成している
ことを特徴とするペット用吸収シート。
【請求項２】
請求項１に記載のペット用吸収シートであって、
前記複数の吸収部を二次元方向に配列することで構成されている
ことを特徴とするペット用吸収シート。
【請求項３】
請求項１または２に記載のペット用吸収シートであって、
前記延長部は、前記第１の傾斜面の端部から下がる第２の傾斜面を有し、
接続した前記延長部の端部どうしが、上方に向かって複数の凸部を形成している
ことを特徴とするペット用吸収シート。
【請求項４】
請求項１〜３のいずれか一項に記載のペット用吸収シートであって、
接続した前記延長部の端部どうしの外側の端に切欠きが形成されている
ことを特徴とするペット用吸収シート。
【請求項５】
請求項１〜４のいずれか一項に記載のペット用吸収シートであって、
前記凸部に、切断箇所の目安となるマークが表示されている
ことを特徴とするペット用吸収シート。
【請求項６】
請求項１〜５のいずれか一項に記載のペット用吸収シートであって、
前記吸収部は、前記延長部を切断することにより、別のペット用吸収シートとして使用できる
ことを特徴とするペット用吸収シート。